(57)【要約】      （修正有）【課題】凹凸および溝間を容易に掃除することができる掃除器具を提供する。【解決手段】上下方向に延びた棒状のグリップ部と、前記グリップ部の下端部に結合される管状のハウジング２１０と、前記ハウジングの下部から複数個のフレーム２２１、２２２、２２３が互いに所定の距離で離隔して配置される硬質の掃除部と、前記掃除部の下端部に結合され前記掃除部の変形により掃除対象に接触する補助掃除部３００を備える掃除機具において、前記補助掃除部にメイン突起部３２０およびサブ突起部３３０を形成した。【選択図】図２
2020099680.tif 000002
【特許請求の範囲】
【請求項１】
棒状のグリップ部、
一つ以上のフレームからなる硬質の掃除部、および
前記掃除部の下端部に結合され、前記掃除部の変形により掃除対象に接触する補助掃除部を含み、
前記掃除部は、縦方向に延びる一つ以上のメインフレーム部、
前記メインフレーム部を横方向に連結する一つ以上の補強フレーム部、および、
前記メインフレーム部の上部を一体型に連結させる捩れ防止部を含む補助掃除部が備えられた、掃除器具。
【請求項２】
前記掃除部は前記メインフレーム部および補強フレーム部間に形成された空間部を含む、請求項１に記載の掃除器具。
【請求項３】
棒状のグリップ部、
一つ以上のフレームからなる硬質の掃除部、および、
前記掃除部の下端部に結合され、前記掃除部の変形により掃除対象に接触する補助掃除部を含み、
前記掃除部および前記補助掃除部は、複数個の締結溝および締結突起によって一体型に結合される、掃除器具。
【請求項４】
棒状のグリップ部、
一つ以上のフレームからなる硬質の掃除部、および、
前記掃除部の下端部に結合され、前記掃除部の変形により掃除対象に接触する補助掃除部を含み、
前記補助掃除部は、板状のスクレイパー、
前記スクレイパーの両面に長さ方向に突出した一つ以上のメイン突起部、および、
前記メイン突起部の上下部に壁体状に形成された一対のサブ突起部、を含む、掃除器具。
【請求項５】
前記補助掃除部が備えられた掃除器具は、
射出成形で前記掃除部を形成するように１次成形され、１次成形された前記掃除部を金型に入れて２次成形して前記補助掃除部を形成されるものの、前記補助掃除部が前記締結部を囲むように一体型に結合させることを特徴とする、請求項４に記載の掃除器具。
【発明の詳細な説明】
【技術分野】
【０００１】
本発明は補助掃除部が備えられた掃除器具に関し、より詳細には掃除部および補助掃除部が一体型に形成され、凹凸および溝間の汚物を容易に掃除するように補助掃除部にメイン突起部およびサブ突起部を形成させた補助掃除部が備えられた掃除器具に関する。
【背景技術】
【０００２】
最近では掃除のために真空掃除機が広く使われているが、真空掃除機は体積が比較的大きく、電力を必要とする問題があるため、ほうきの形態の手動型掃除器具の需要は絶ず続いている。
【０００３】
従来のほうき型掃除器具の場合、形態により多少の差はあるものの共通して複数個の毛が備えられた形態を有する。
【０００４】
しかし、このような従来のほうき型掃除器具は毛の脱落および変形が容易に発生し、特に掃除時に毛間に異物が挟まれるようになるため管理が難しいという問題がある。また、このような異物を除去していない状態で掃除を遂行する場合には異物が掃除中に脱落するなど、非衛生的であるという問題もある。
【０００５】
そして、底に水などの液体が溜まっている場合、これを効果的に掃除できないだけでなく、かえって異物と液体が混合されて汚くなったりもする。
【０００６】
このような問題点を克服するために、本発明の出願人が先出願して登録された韓民登録特許第１０−１４３２０７４号公報（２０１４．０８．１３．登録）の「補助掃除部が備えられた掃除器具」を詳察すると、使用者がグリップできるように形成されたグリップ部、下端が掃除対象に接触するように左右に長く形成された第１面と、第１面の反対側に前記第１面と対応するように形成された第２面を有し、グリップ部に連結され、柔軟性を有する掃除部および第１面および第２面のうち少なくともいずれか一つの面方向に突出して備えられて、掃除部が変形されるにつれて掃除対象に接触する補助掃除部を含む構成を提供している。
【０００７】
しかし、このような従来の技術は、一体型に形成されて変形が防止される長所はあるものの、補助掃除部を洗浄し殺菌することが煩雑であり、掃除のために底を掃き出す場合、掃除部が補助掃除部を堅固に支えることができない短所がある。
【０００８】
したがって、前記のような問題点を解決するための方法が要求されている。
【先行技術文献】
【特許文献】
【０００９】
【特許文献１】韓民登録特許第１０−１４３２０７４号公報
【発明の概要】
【発明が解決しようとする課題】
【００１０】
本発明は前記のような従来技術の問題点を解決するために、掃除部および補助掃除部が一体型に形成され、凹凸および溝間を容易に掃除するように補助掃除部にメイン突起部およびサブ突起部を形成させた新しい構造の補助掃除部が備えられた掃除器具を提供することを目的とする。
【課題を解決するための手段】
【００１１】
本発明の一側面は、棒状のグリップ部、一つ以上のフレームからなる硬質の掃除部、および、前記掃除部の下端部に結合され、前記掃除部の変形により掃除対象に接触する補助掃除部を含み、前記掃除部は縦方向に延びる一つ以上のメインフレーム部、前記メインフレーム部を横方向に連結する一つ以上の補強フレーム部、および、前記メインフレーム部の上部を一体型に連結させる捩れ防止部を含む補助掃除部が備えられた掃除器具が提供される。
【００１２】
一実施例において、前記掃除部は前記メインフレーム部および補強フレーム部間に形成された空間部を含むことができる。
【００１３】
本発明の他の側面は、棒状のグリップ部、一つ以上のフレームからなる硬質の掃除部、および、前記掃除部の下端部に結合され、前記掃除部の変形により掃除対象に接触する補助掃除部を含み、前記掃除部はおよび前記補助掃除部は複数個の締結溝および締結突起によって一体型に結合する掃除器具が提供される。
【００１４】
本発明の他の側面は、棒状のグリップ部、一つ以上のフレームからなる硬質の掃除部、および、前記掃除部の下端部に結合され、前記掃除部の変形により掃除対象に接触する補助掃除部を含み、前記補助掃除部は板状のスクレイパー、前記スクレイパーの両面に長さ方向に突出した一つ以上のメイン突起部、および、前記メイン突起部の上下部に壁体状に形成された一対のサブ突起部を含む掃除器具が提供される。
【００１５】
一実施例において、前記補助掃除部が備えられた掃除器具は、射出成形で前記掃除部を形成するように１次成形させて、１次成形された前記掃除部を金型に入れて２次成形をして前記補助掃除部を形成させるものの、前記補助掃除部が前記締結部を囲むように一体型に結合させることを特徴とすることができる。
【発明の効果】
【００１６】
本発明に係る補助掃除部が備えられた掃除器具は、掃除部を１次射出成形で形成し、掃除部の下部に補助掃除部を２次射出成形で一体型に結合することによって、掃除部の捩れや形態が変形する現象が防止される効果を有することができる。
【００１７】
また、掃除部を複数個のフレームで形成してこれに補強フレーム部を形成する構造であるため、製造単価を節約して費用を節減できる長所だけでなく、掃除時、掃除部に異物が付着しないことはもちろん掃除が容易な長所がある。
【００１８】
また、本発明に係る補助掃除部が備えられた掃除器具は、副掃除部によって毛が備えられていないにもかかわらず、掃除対象を容易に掃き出すことができ、副掃除部に形成されたメイン突起部およびサブ突起部によって、平坦な部分だけでなく凹凸または溝間のホコリおよび汚物を除去することが容易な長所がある。
【００１９】
また、本発明に係る補助掃除部が備えられた掃除器具は、サブ突起部を形成することによって、底のホコリおよび汚物を集めて固まらせ、下部は上部のホコリおよび汚物がスクレイパーの下部に抜け出ることを閉じ込めることにより、ほうきで掃くときに汚物及びホコリなどが掃き方向の反対方向に離脱する現象を防止する効果を有することができる。
【図面の簡単な説明】
【００２０】
【図１】本発明の実施例に係る補助掃除部が備えられた掃除器具の全体の形状を示した正面図。
【図２】図１を分解して示した分解斜視図。
【図３】本発明の実施例に係る補助掃除部が備えられた掃除器具の掃除部および副掃除部を断面で示した断面図。
【図４】本発明の実施例に係る補助掃除部が備えられた掃除器具の掃除部を詳細に示した拡大斜視図。
【図５】本発明の実施例に係る補助掃除部が備えられた掃除器具の補助掃除部を詳細に示した拡大斜視図。
【図６】本発明の実施例に係る補助掃除部が備えられた掃除器具を使う状態を一側面で示した例示図。
【発明を実施するための形態】
【００２１】
以下、添付された図面を参照して、本発明が属する技術分野で通常の知識を有する者が本発明を容易に実施できる好ましい実施例を詳細に説明する。ただし、本発明の好ましい実施例に対する動作原理を詳細に説明するにおいて、関連した公知機能または構成に対する具体的な説明が本発明の要旨を不要に曖昧にさせ得る恐れがあると判断される場合にはその詳細な説明を省略する。
【００２２】
また、図面全体に亘って類似する機能および作用をする部分については同じ図面符号を付する。
【００２３】
また、明細書全体において、ある部分が他の部分と「連結」されているとする時、これは直接的に連結されている場合だけでなくその中間に他の構成要素を挟んで間接的に連結されている場合も含む。また、ある構成要素を「含む」とは、特に反対の記載がない限り他の構成要素を排除するものではなく他の構成要素をさらに含むことができることを意味する。
【００２４】
以下、添付した図面を参照して本発明の好ましい実施例に係る補助掃除部が備えられた掃除器具について詳細に説明する。
【００２５】
図１は本発明の実施例に係る補助掃除部が備えられた掃除器具の全体の形状を示した正面図であり、図２は図１を分解して示した分解斜視図であり、図３は本発明の実施例に係る補助掃除部が備えられた掃除器具の掃除部および副掃除部を断面で示した断面図であり、図４は本発明の実施例に係る補助掃除部が備えられた掃除器具の掃除部を詳細に示した拡大斜視図であり、図５は本発明の実施例に係る補助掃除部が備えられた掃除器具の補助掃除部を詳細に示した拡大斜視図であり、図６は本発明の実施例に係る補助掃除部が備えられた掃除器具を使う状態を一側面で示した例示図である。
【００２６】
図１および図２に図示された通り、本発明の実施例に係る補助掃除部が備えられた掃除器具１０は、グリップ部１００、掃除部２００および補助掃除部３００を含むことができる。
【００２７】
より詳細には、図１〜図３に図示された通り、本発明の実施例に係る補助掃除部が備えられた掃除器具１０は、上下方向に延びた棒状のグリップ部１００、グリップ部の下端部に結合される管状のハウジング２１０とハウジングの下部から複数個のフレームが互いに所定の距離で離隔して配置される硬質の掃除部２００および掃除部の下端部に結合され、掃除部の変形により掃除対象に接触する補助掃除部３００を含むことができる。
【００２８】
図１および図２を参照すると、グリップ部１００は使用者がグリップできるように形成されるものであって、上下方向に延びた棒の形状であり得る。
【００２９】
ここで、グリップ部１００は底面に接触する補助掃除部３００および掃除部２００の上部に結合され得る。そして、グリップ部１００は使用者がグリップできるように上端にグリップカバーが１１０結合され得る。
【００３０】
図２および図４を参照すると、掃除部２００は、グリップ部１００の下端部に結合される管状のハウジング２１０とハウジング２１０の下部から複数個のフレームが互いに所定の距離で離隔して配置される硬質の材質で形成され得る。
【００３１】
ここで、ハウジング２１０は掃除部２００とグリップ部１００を互いに結合させるように形成され得る。すなわち、ハウジング２１０はグリップ部１００の直径より小さいか同一の管状に形成されてグリップ部１００を締り嵌めで結合させることができる。
【００３２】
一方、掃除部２００はメインフレーム部２２０、補強フレーム部２３０および捩れ防止部２４０を含むことができる。
【００３３】
メインフレーム部２２０はハウジング２１０の下部の一側から垂直に形成されるものの、傾斜角を有して流線型に延びる第１フレーム２２１とハウジング２１０の下部の他側の外周面から曲線状に延びる第２フレーム２２２の間に複数個に配置される中央フレーム２２３で形成され得る。
【００３４】
ここで、メインフレーム部２２０はハウジング２１０の下部に射出成形で形成されるものであって、後述する捩れ防止部２４０により射出成形時に変形が防止され、ハウジング２１０から複数個で延びて形成され得る。
【００３５】
第１フレーム２２１および第２フレーム２２２は掃除部２００の外側の骨格を形成することができる。
【００３６】
中央フレーム２２３は、第１フレーム２２１および第２フレーム２２２間に複数個で形成されて掃除部２００の中央骨格を形成することができる。
【００３７】
図４を参照すると、補強フレーム部２３０はメインフレーム部２２０の中央をそれぞれ水平方向に連結する第１補強フレーム２３１と第１補強フレーム２３１から離隔してメインフレーム部２２０の下端を連結させる第２補強フレーム２３２で形成され得る。
【００３８】
すなわち、補強フレーム部２３０は、掃除対象に掃除部２００を位置させ、掃くために一方向に押し出すことによって発生するメインフレーム部２２０の引張力に対して支持するために形成されて、掃除部２００が柔軟性を有するものの曲がることを防止することができる。
【００３９】
また、補強フレーム部２３０は掃除部２００を射出成形時、射出成形の圧力でメイムフレーム部２２０が弛緩する現象を防止して捩れる現象を防止することができる。
【００４０】
ここで、補強フレーム部２３０は第２補強フレーム２３２から延びて板からなる後述する締結部２６０が形成され得る。これは、１次射出成形で掃除部２００を形成させ、以降２次射出成形で掃除部２００に補助掃除部３００を一体型に結合させることができる。
【００４１】
捩れ防止部２４０はメインフレーム部２２０をハウジング２１０の下部に一体型に連結させるものであって、メインフレーム部２２０の間が板状に連結され得る。これによって、１次射出成形で掃除部２００を形成させる場合、メインフレーム部の捩れ現象を最小化することができる。
【００４２】
また、図４に図示された通り、掃除部２００に空間部２５０が形成され得る。
【００４３】
空間部２５０はメインフレーム部２２０および補強フレーム部２３０の間が貫通されて形成されるものであって、掃除部２００を格子状に形成して大量生産時に製造原価を節減させつつも、掃除対象を効率的に掃除させることができる。
【００４４】
また、空間部２５０は、掃除対象を掃除するために使用者がグリップ部１００を把持して一方向に掃き出しても、空気が通過されることによって粉状の掃除対象が飛散することを最小化することができる。
【００４５】
一方、図２および図４に図示された通り、掃除部２００は締結部２６０、締結溝２７０および締結突起２８０をさらに含むことができる。
【００４６】
締結部２６０は第２補強フレーム２３２から板状に延長形成され得る。
【００４７】
締結溝２７０は締結部２６０の一面を貫通する複数個の溝で形成され得る。
【００４８】
すなわち、締結溝２７０は１次成形によって掃除部２００を先に形成した後、補助掃除部３００を２次成形する時、掃除部２００および補助掃除部３００を一体型に結合させることができる。
【００４９】
締結突起２８０は締結部２６０の両面に締結溝２７０に隣接して突出するものであって、前述した締結溝２７０と同じ役割を遂行することができる。
【００５０】
図２および図５を参照すると、補助掃除部３００は掃除部２００の下端部に結合され、掃除部２００の変形により掃除対象に接触することができる。
【００５１】
このために、補助掃除部３００はスクレイパー３１０、メイン突起部３２０およびサブ突起部３３０を含むことができる。
【００５２】
スクレイパー３１０は掃除部２００の下端に連結され、両側が下向き傾斜して広くなる板状に形成される。
【００５３】
特に、スクレイパー３１０はラバー（Ｒｕｂｂｅｒ）材質で形成されてやわらかくてソフトであるため、掃除対象を捕集することができる。
【００５４】
前記ラバー（Ｒｕｂｂｅｒ）は、ＮＲ（Ｎａｔｕｒａｌ  Ｒｕｂｂｅｒ）、ＢＲ（Ｂｕｔａｄｉｅｎｅ  Ｒｕｂｂｅｒ）、ＳＢＲ（Ｓｔｙｌｒｅｎｅ  Ｂｕｔａｄｉｅｎｅ  Ｒｕｂｂｅｒ）、ＮＢＲ（Ａｃｒｙｌｏｎｉｔｒｉｌｅ  Ｂｕｔａｄｉｅｎｅ  Ｒｕｂｂｅｒ）のうちいずれか一つを選択して使うことが好ましい。
【００５５】
図５および図６を参照すると、一つ以上のメイン突起部３２０がスクレイパー３１０の下部の両面に長さ方向に突出され得る。
【００５６】
メイン突起部３２０は円柱状であって、所定の長さで突出するものの、一端が尖っているように形成され得る。メイン突起部３２０はスクレイパー３１０の長さ方向に沿って一定の間隔で突出して、凹凸、タイルおよび溝にある掃除対象を除去することができる。
【００５７】
すなわち、プレート面で形成されたスクレイパー３１０は平たい部分を掃除することができ、メイン突起部３２０は凹凸または溝間に形成された汚物を掃除することによってスクレイパー３１０を補完することができる。
【００５８】
サブ突起部３３０はメイン突起部３２０の上下部に長さ方向に沿って壁体状に一対をなして突出され得る。
【００５９】
すなわち、サブ突起部３３０は上部突起および下部突起に区画されて形成され得る。サブ突起部３３０は、底のホコリおよび汚物を上部突起が固まらせ、上部で固まったホコリおよび汚物がスクレイパー３１０の下部に抜け出ることを防止することができる。
【００６０】
そして、掃くときにホコリおよび汚物がスクレイパー３１０の後に抜け出る離脱現象を防止することができる。
【００６１】
本発明の実施例に係る補助掃除部が備えられた掃除器具１０は、掃除部２００を形成するように１次成形させ、１次成形された掃除部２００を金型に入れて２次成形して補助掃除部３００を形成させるものの、補助掃除部３００が締結部２６０を囲むように一体型に結合させることができる。ここで、１次成形および２次成形は射出成形であり得る。
【００６２】
特に、１次成形は掃除部２００を形成する工程であり得る。すなわち、ハウジング２１０とグリップ部１００の結合で捩れおよび変形を防止するために捩れ防止部２４０を形成することができる。
【００６３】
補強フレーム部２３０は射出成形の均一な圧力を維持するようにするために、メインフレーム部２２０に形成され得る。
【００６４】
この時、補強フレーム部２３０はメインフレーム部２２０の弛緩現象を防止し、フレームのそれぞれの変形による捩れ現象を防止することができる。
【００６５】
２次成形は１次成形で形成された掃除部２００を金型に入れて補助掃除部３００を形成させる工程であり得る。
【００６６】
すなわち、掃除部２００に形成された締結部２６０を囲むように補助掃除部３００を形成することができる。掃除部２００は締結溝２７０および締結突起２８０を形成して補助掃除部３００を一体型に結合させることができる。
【００６７】
この時、補助掃除部３００は図５に図示された通り、スクレイパー３１０の両面に複数個の支持突起３４０を形成することができる。
【００６８】
支持突起３４０はスクレイパー３１０の両面から締結部２６０の方向に延長され得る。支持突起３４０は、１次成形で射出された掃除部２００が２次成形時に射出圧力によっていずれか一方で偏って偏心することを防止するために形成され得る。
【００６９】
以上で説明した通り、本発明の詳細な説明では本発明の好ましい実施例に関して説明したが、これは本発明の最も良好な実施例を例示的に説明したものであって、本発明を限定するわけではない。また、本発明が属する技術分野の通常の知識を有する者であれば、誰でも本発明の技術思想の範疇を逸脱しない範囲内で多様な変形および模倣が可能であることは言うまでもない。
【００７０】
したがって、本発明の権利範囲は前述した実施例に限定されず、添付された特許請求の範囲内で多様な形態の実施例で具現され得る。そして、特許請求の範囲で請求する本発明の要旨を逸脱することなく、当該発明が属する技術分野で通常の知識を有する者であれば誰でも変形可能な多様な範囲まで、本発明の特許請求の範囲の記載の範囲内にあるものと見なす。
【符号の説明】
【００７１】
１０：補助掃除部が備えられた掃除器具
１００：グリップ部
２００：掃除部
２１０：ハウジング
２２０：メインフレーム部
２２１：第１フレーム
２２２：第２フレーム
２２３：中央フレーム
２３０：補強フレーム部
２３１：第１補強フレーム
２３２：第２補強フレーム
２４０：捩れ防止部
２５０：空間部
２６０：締結部
２７０：締結溝
２８０：締結突起
３００：補助掃除部
３１０：スクレイパー
３２０：メイン突起部
３３０：サブ突起部
【図１】
2020099680.tif 000003
【図２】
2020099680.tif 000004
【図３】
2020099680.tif 000005
【図４】
2020099680.tif 000006
【図５】
2020099680.tif 000007
【図６】
2020099680.tif 000008